(57)【特許請求の範囲】
【請求項１】
記録媒体からの再生信号を所定周期でサンプリングして得られるサンプリング値の遷移状態から所定のパーシャルレスポンス波形に対応する最尤復号手法に従って記録データの復元を行うデータ再生装置において、
上記再生信号の立上がりエッジに同期した立上がり同期クロックに同期して当該再生信号をサンプリングし、前サンプリング値を出力する第一のサンプリング手段と、
上記再生信号の立下りエッジに同期した立下り同期クロックに同期して当該再生信号をサンプリングし、後サンプリング値を出力する第二のサンプリング手段と、
再生信号の立上がり部分で上記第一のサンプリング手段にて得られる前サンプリング値と、再生信号の立下り部分で上記第二のサンプリング手段にて得られる後サンプリング値とを合成して合成サンプリング値を出力する合成手段と、
上記立上がり同期クロック及び立下り同期クロックのうちの予め定めた一方の同期クロックと異なる同期クロックにてサンプリングされた上記前サンプリング値または後サンプリング値の上記合成手段での取得タイミングをその一方の同期クロックに再同期させる再同期手段とを有し、
上記合成手段において上記前サンプリング値及び後サンプリング値の双方を上記予め定めた一方の同期クロックに同期させて処理するようにし、
該合成手段から出力される合成サンプリング値を上記最尤復号手法に従った記録データの復元に供するようにしたデータ再生装置。
【請求項２】
請求項１記載のデータ再生装置において、
上記合成手段は、一方が上記再同期手段にて上記一方の同期クロックに再同期されて取得される前サンプリング値と後サンプリング値の位相ずれ量に基づいて上記前サンプリング値と後サンプリング値の位相調整を行う位相調整手段とを有し、
上記位相調整手段にて位相調整のなされた上記前サンプリング値と後サンプリング値を合成するようにしたデータ再生装置。
【請求項３】
請求項１又は２記載のデータ再生装置において、
再生信号の立上がりエッジ及び立下りエッジを検出するエッジ検出手段を有し、
上記合成手段は、上記エッジ検出手段にて検出される再生信号の立上がりエッジ及び立下りエッジに基づいて再生信号の立上がり部分と立下り部分とを区別する状態を有する切換信号を生成する切換信号生成手段と、
該切換信号生成手段からの切換信号が再生信号の立上がり部分に対応した状態となるときに、上記第一のサンプリング手段にて得られる前サンプリング値の選択出力を行い、上記切換信号生成手段からの切換信号が再生信号の立下り部分に対応した状態となるときに、上記第二のサンプリング手段にて得られる後サンプリング値の選択出力を行う出力選択手段とを有し、
該出力選択手段にて選択出力のなされる前サンプリング値及び後サンプリング値を合成サンプリング値とするようにしたデータ再生装置。
【請求項４】
記録系と共にデータ記録・再生装置に設けられた請求項１乃至３いずれか記載のデータ再生装置において、
第一の最尤復号手段と、
第二の最尤復号手段と、
記録系での記録条件を設定するための動作モードにおいて、第一のサンプリング手段からの前サンプリング値を上記第一の最尤復号手段に供給すると共に第二のサンプリング値からの後サンプリング値を上記第二の最尤復号手段に供給し、記録データを再生するための動作モードにおいて、第一のサンプリング手段からの前サンプリング値及び第二のサンプリング手段からの後サンプリング値を上記合成手段に供給すると共に、合成手段からの合成サンプリング値を第一の最尤復号手段に供給するサンプリング値供給制御手段を有し、
上記記録条件を設定するための動作モードにおいて、上記第一の最尤復号手段及び第二の最尤復号手段にて得られたデータに基づいて記録条件を判定する一方、記録データを再生するための動作モードにおいて、上記合成手段からの合成サンプリング値の遷移状態から上記第一の最尤復号手段が記録データの復元を行うようにしたデータ再生装置。
【発明の詳細な説明】
【０００１】
【発明の属する技術分野】
本発明は、光ディスク等の媒体に記録されたデータを再生するデータ再生装置に係り、詳しくは、パーシャルレスポンス（ＰＲ）波形の記録信号に従ってデータ記録のなされた記録媒体から信号を再生し、その再生信号から最尤復号の手法に従ってデータを復元するデータ再生装置に関する。
【０００２】
【従来の技術】
従来、ＰＲＭＬの手法を用いた記録再生方式が提案されている。このＰＲＭＬの手法では、記録すべきデータをパーシャルレスポンス（ＰＲ）の規則に従って変調することにより得られた記録信号を光磁気ディスク等の記録媒体に記録し、その記録媒体からの再生信号を所定周期でサンプリングし、そのサンプリング値から最尤データ検出器（例えば、ビタビ検出器）にて最も確からしい（ＭＬ）データを復元する。
【０００３】
このような手法を適用するデータ再生装置（例えば、光磁気ディスク装置）では、例えば、データをＰＲ（1,1）の規則に従って変調することにより得られた信号が記録されている記録媒体から信号の再生（読出し）が行われる。この再生信号は、例えば、図１（ａ）に示すように、記録信号と同様にＰＲ（1,1）波形に等化されたものとなる。そして、この再生信号を所定の周期でサンプリングして得られたサンプリング値列の遷移状態からＰＲ（1,1）変調前のデータとして最も確からしいデータが復元される。
【０００４】
このようなデータ再生装置によれば、高密度にてデータ記録のなされた媒体から精度良くデータの再生を行うことができるようになる。
【０００５】
【発明が解決しようとする課題】
ところで、超解像度媒体であるＭＳＲ媒体（光磁気ディスク）では、その媒体の特性から、再生信号の立下り部分（立下りエッジ部分）でそのレベル低下が鈍くなる傾向がある。特に、比較的高パワーでデータ書込みが行われた場合、その傾向が顕著になり、例えば、ＰＲ（1,1）の規則に従って変調された信号の記録により媒体上に形成されたロングマーク（ピット）間の２Ｔスペース部分（狭間隔部分）に対応した再生信号が、例えば、図１（ｂ）に示すように、十分に立ち下がる前に立ち上がってしまう場合がある。
【０００６】
このように立下りが立上がりより鈍くなる特性の再生信号を、例えば、その再生信号の立上がり部分（立上がりエッジ部分）に同期させたクロック信号に同期してサンプリングすると、例えば、図１（ｃ）に示すように、そのサンプリング値Ｑの遷移は、立下りエッジ部分（Ａ部分）において、本来のＰＲ（1,1）波形から得られるべきサンプリング値の遷移と異なる。このため、そのサンプリング値Ｑの遷移状態からＰＲ（1,1）波形を前提とした最尤検出器にてデータの復元を行っても、記録データが忠実に復元されない。
【０００７】
そこで、本発明の課題は、立ち上がりと立下りの特性が異なる再生信号からでも、精度の良いデータ再生を行うことのできるデータ再生装置を提供することである。
【０００８】
【課題を解決するための手段】
上記第一の課題を解決するため、本発明は、請求項１に記載されるように、記録媒体からの再生信号を所定周期でサンプリングして得られるサンプリング値の遷移状態から所定のパーシャルレスポンス波形に対応する最尤復号手法に従って記録データの復元を行うデータ再生装置において、上記再生信号の立上がりエッジに同期した立上がり同期クロックに同期して当該再生信号をサンプリングし、前サンプリング値を出力する第一のサンプリング手段と、上記再生信号の立下りエッジに同期した立下り同期クロックに同期して当該再生信号をサンプリングし、後サンプリング値を出力する第二のサンプリング手段と、再生信号の立上がり部分で上記第一のサンプリング手段にて得られる前サンプリング値と、再生信号の立下り部分で上記第二のサンプリング手段にて得られる後サンプリング値とを合成して合成サンプリング値を出力する合成手段と、上記立上がり同期クロック及び立下り同期クロックのうちの予め定めた一方の同期クロックと異なる同期クロックにてサンプリングされた上記前サンプリング値または後サンプリング値の上記合成手段での取得タイミングをその一方の同期クロックに再同期させる再同期手段とを有し、上記合成手段において上記前サンプリング値及び後サンプリング値の双方を上記予め定めた一方の同期クロックに同期させて処理するようにし、該合成手段から出力される合成サンプリング値を上記最尤復号手法に従った記録データの復元に供するように構成される。
【０００９】
このようなデータ再生装置では、再生信号の立上がり部分から第一のサンプリング手段にてサンプリングされた前サンプリング値と、再生信号の立下り部分から第二のサンプリング手段にてサンプリングされた後サンプリング値とによって合成サンプリング値が合成される。そして、その合成サンプリング値の遷移状態から最尤復号手法に従って記録データの復元が行われる。
【００１０】
このように再生信号の立上がり部分とその立下り部分のそれぞれを独立した立上がり同期クロック及び立下り同期クロックにてサンプリングして得られた前サンプリング値と後サンプリング値とを合成しているので、再生信号の立上がり部分またはその立下り部分に歪みが発生してもその歪みが発生した部分からのサンプリング値の遷移状態を予め定めたパーシャルレスポンス波形から本来サンプリングされるサンプリング値の遷移状態により近いものとすることができる。また、合成手段での処理を単一の同期クロックに同期させて行うことができる
【００１２】
位相を合わせて合成が容易に行えるという観点から、本発明は、請求項２に記載されるように、上記再生装置において、上記合成手段は、一方が上記再同期手段にて上記一方の同期クロックに再同期されて取得される前サンプリング値と後サンプリング値の位相ずれ量に基づいて上記前サンプリング値と後サンプリング値の位相調整を行う位相調整手段とを有し、上記位相調整手段にて位相調整のなされた上記前サンプリング値と後サンプリング値を合成するように構成することができる。
【００１３】
上記前サンプリング値と後サンプリング値の位相ずれ量は、例えば、ＭＰＵなどの制御装置から位相調整手段に提供するようにしても、実際に得られたサンプリング値などから検出し、その検出値を位相調整手段に提供するようにしてもよい。
【００１４】
合成手段の具体的な構成提供するという観点から、本発明は、請求項３に記載されるように、上記各データ再生装置において、再生信号の立上がりエッジ及び立下りエッジを検出するエッジ検出手段を有し、上記合成手段は、上記エッジ検出手段にて検出される再生信号の立上がりエッジ及び立下りエッジに基づいて再生信号の立上がり部分と立下り部分とを区別する状態を有する切換信号を生成する切換信号生成手段と、該切換信号生成手段からの切換信号が再生信号の立上がり部分に対応した状態となるときに、上記第一のサンプリング手段にて得られる前サンプリング値の選択出力を行い、上記切換信号生成手段からの切換信号が再生信号の立下り部分に対応した状態となるときに、上記第二のサンプリング手段にて得られる後サンプリング値の選択出力を行う出力選択手段とを有し、該出力選択手段にて選択出力のなされる前サンプリング値及び後サンプリング値を合成サンプリング値とするように構成することができる。
【００１５】
上記エッジ検出手段は、合成手段の構成要素であっても、そうでなくてもよい。
【００１６】
データ再生時のマージンに余裕が持てるとうい観点から、本発明は、請求項４に記載されるように、記録系と共にデータ記録・再生装置に設けられた上記各データ再生装置において、第一の最尤復号手段と、第二の最尤復号手段と、記録系での記録条件を設定するための動作モードにおいて、第一のサンプリング手段からの前サンプリング値を上記第一の最尤復号手段に供給すると共に第二のサンプリング値からの後サンプリング値を上記第二の最尤復号手段に供給し、記録データを再生するための動作モードにおいて、第一のサンプリング手段からの前サンプリング値及び第二のサンプリング手段からの後サンプリング値を上記合成手段に供給すると共に、合成手段からの合成サンプリング値を第一の最尤復号手段に供給するサンプリング値供給制御手段を有し、上記記録条件を設定するための動作モードにおいて、上記第一の最尤復号手段及び第二の最尤復号手段にて得られたデータに基づいて記録条件を判定する一方、記録データを再生するための動作モードにおいて、上記合成手段からの合成サンプリング値の遷移状態から上記第一の最尤復号手段が記録データの復元を行うように構成することができる。
【００１７】
【発明の実施の形態】
以下、本発明の実施の形態を図面に基づいて説明する。
【００１８】
本発明の実施の一形態に係るデータ再生装置は、例えば、図２に示すように構成される。この例では、ＰＲ（1,1）の規則に従って変調された信号が記録された光磁気ディスクからデータの再生を行う。
【００１９】
図２において、このデータ再生装置は、記録媒体となる光磁気ディスク（ＭＯ）１０から光学的にデータの読出しを行って電気信号を出力する光学ヘッド１２、光学ヘッド１２からの出力信号の増幅処理を行うアンプ１４、アンプ１４からの出力信号を波形等化するフィルタ／等化器１６を有する。このフィルタ／等化器１６からの信号が再生信号としてサンプリング回路１００に供給される。
【００２０】
また、このデータ再生装置は、２つのＰＬＬ回路１８及び２０を有する。ＰＬＬ回路１８は、上記再生信号の立上がりエッジ部分に同期した立上がり同期クロックCLK_Lを生成する。また、ＰＬＬ回路２０は、上記再生信号の立下りエッジ部分に同期した立下り同期クロックCLK_Tを生成する。
【００２１】
上記サンプリング回路１００は、２つのＰＬＬ回路１８、２０からのクロックCLK_L及びCLK_Tを入力し、上記再生信号のサンプリング処理を行う。サンプリング回路１００にて得られたサンプリング値は、順次ML検出器（例えば、ビタビ検出器）２２に供給される。このＭＬ検出器２２は、ＰＬＬ回路１８からのクロックCLK_Lに同期して動作し、上記供給されるサンプリング値の遷移状態から、ＰＲ（1,1）に対応した最尤復号アルゴリズムに従って、そのＰＲ（1,1）変調前のデータとして最も確からしいデータの復元を行う。
【００２２】
上記サンプリング回路２２は、例えば、図３に示すように構成される。
【００２３】
図３において、このサンプリング回路１００は、第一のアナログ／デジタル変換回路（以下、第一のＡ／Ｄ変換回路という）１０１、第二のアナログ／デジタル変換回路（以下、第二のＡ／Ｄ変換回路という）１０２、切換回路（MUX）１０３、前エッジ検出回路１０４、後エッジ検出回路１０５、切換回路（MUX）１０６、１０７及びエッジ合成回路１２０及び暴走検出回路１３０を有する。エッジ合成回路１２０は、再同期回路１２１、第一の同期信号検出回路１２２、第二の同期信号検出回路１２２、第一の位相調整回路１２４、第二の位相調整回路１２５、ずれ量検出カウンタ１２６、切換信号生成回路１２７及び選択回路（MUX）１２８を有する。
【００２４】
上記第一のＡ／Ｄ変換回路１０１は、上記立上がり同期クロックCLK_Lに同期して上記再生信号（再生波形）をデジタル変換し、得られたデジタル信号を前サンプリング値Ｙt_Lとして出力する。切換回路１０３は、後述する暴走検出回路１３０からの検出信号に基づいて立上がり同期クロックCLK_L及び立下り同期クロックCLK_Tのいずれかを選択して出力する。切換回路１０３は、通常、立下り同期クロックCLK_Tを出力し、暴走検出回路１３０が立下り同期クロックCLK_Tの暴走を検出したときに、その検出信号に基づいてその出力を立上がりクロックCLK_Lに切替える。第二のＡ／Ｄ変換回路１０２は、上記切換回路１０３から出力される同期クロック（CLK_LまたはCLK_T）に同期して上記再生信号をデジタル変換し、得られたデジタル信号を後サンプリング値Ｙt_Tとして出力する。
【００２５】
上記エッジ合成回路１２０の再同期回路１２１には、上記立上がり同期クロクCLK_L、切換回路１０３から出力されるり同期クロック（通常、立下り同期クロックCLK_T）及び第二のＡ／Ｄ変換回路１０２からの後サンプリング値Ｙt_Tが供給される。この再同期回路１２１は、切換回路１０３から出力される同期クロック（通常、立下り同期クロックCLK_T）に同期して第二のＡ／Ｄ変換回路１０２からの後サンプリング値Ｙt_Tを取り込み、立上がり同期クロックCLK_Lに再同期させてその後サンプリング値Ｙt_Tを前再同期サンプリング値Ｙt_T_syncLとして出力する。このように、後エッジサンプリング値Ｙt_Tを立ち上がり同期クロックCLK_Lに同期して出力することにより、以後の処理において、前再同期サンプリング値Ｙt_T_syncLは、前サンプリング値Ｙt_Lと共に、立上がり同期クロックCLK_Lに同期して処理することが可能となる。
【００２６】
上記前エッジ検出回路１０４は、立上がり同期クロックCLK_Lと第一のＡ／Ｄ変換回路１０１からの前サンプリング値Ｙt_Lを入力し、前サンプリング値Ｙt_Lの遷移状態から再生信号の立上がりエッジ部分を検出する。上記後エッジ検出回路１０５は、立上がり同期クロックCLK_Lとエッジ合成回路１２０の再同期回路１２１からの前再同期サンプリング値Ｙt_T_syncLの遷移状態から再生信号の立下りエッジ部分を検出する。
【００２７】
上記前エッジ検出回路１０４は、例えば、次のようにして再生信号の立上がりエッジを検出する。
【００２８】
３つの連続する前サンプリング値Ｙt0_L、Ｙt1_L、Ｙt2_L（時刻の新しい順）を予め定めたスライスレベル（図示外のＭＰＵなどから設定される）と比較し、以下の条件が満足される場合に、再生信号の立上がりエッジ部分を検出する。
【００２９】
ａ）Ｙt2_Lがスライスレベル（Low1）未満である。
【００３０】
ｂ）Ｙt1_Lがスライスレベル（Low1）以上かつスライスレベル（High1）以下である。
【００３１】
ｃ）Ｙt0_Lがスライスレベル（High1）より大きい。
【００３２】
前エッジ検出回路１０４は、上記条件が満足されたと判定される時刻ｔ0にて前エッジ検出信号L_edgeを出力する。
【００３３】
上記後エッジ検出回路１０５は、前エッジ検出回路１０４と同様の手法により再生信号の立下りエッジを検出する。
【００３４】
即ち、３つの連続する前再同期サンプリング値Ｙt0_T_syncL、Ｙt1_T_syncL、Ｙt2_T_syncL（時刻の新しい順）をスライスレベルと比較し、以下の条件が満足される場合に、再生信号の立下りエッジ部分を検出する。
【００３５】
ａ）Ｙt2_T_syncLがスライスレベル（High2）より大きい。
【００３６】
ｂ）Ｙt1_T_syncLがスライスレベル（Low2）以上かつスライスレベル（High2）以下である。
【００３７】
ｃ）Ｙt0_T_syncLがスライスレベル（Low2）未満である。
【００３８】
後エッジ検出回路１０５は、上記条件が満足されたと判定される時刻ｔ0にて後エッジ検出信号Ｔ_edgeを出力する。
【００３９】
上記前エッジ検出回路１０４にて使用されるスライスレベル（Low1）、スライスレベル（High1）と、後エッジ検出回路１０５にて使用されるスライスレベル（Low2）、スライスレベル（High2）は、それぞれ同じであっても、異なるレベルであってもよい。これらのスライスレベルは、再生信号の立上がり部分、立下り部分の特性に応じて定めることが好ましい。
【００４０】
上記前エッジ検出回路１０４からの前エッジ検出信号Ｌ_edgeは、選択回路（MUX）１０６を介してエッジ合成回路１２０の第一の同期信号検出回路１２２に供給される。この第一の同期信号検出回路１２２は、記録信号に含まれる例えば３２ビットで構成された同期バイト（Syncバイト）の立上がりパターンPat_L[31:0]と上記前エッジ検出回路１０４から供給される前エッジ検出信号Ｌ_edgeのパターンとが一致するか否かを判定する。そして、それらのパターンが一致したときに、第一の同期信号検出回路１２２は検出信号を出力する。
【００４１】
上記後エッジ検出回路１０５からの後エッジ検出信号Ｔ_edgeは、選択回路（MUX）１０７を介してエッジ合成回路１２０の第二の同期信号検出回路１２３に供給される。この第二の同期信号検出回路１２３は、上記同期バイト（Syncバイト）の立下りパターンPat_T[31:0]と上記後エッジ検出回路１０５から供給される後エッジ検出信号Ｔ_edgeのパターンとが一致するか否かを判定する。そして、それらのパターンが一致したときに、第二の同期信号検出回路１２３は検出信号を出力する。
【００４２】
上記第一の同期信号検出回路１２２及び第二の同期信号検出回路１２３それぞれからの検出信号は、ずれ量検出カウンタ１２６に供給される。このずれ量検出カウンタ１２６は、第一の同期信号検出回路１２２からの検出信号の入力タイミングと第二の同期信号検出回路１２３からの検出信号の入力タイミングとの差分（時間）をカウント数として計測する。そして、その計測値がずれ量としてずれ量検出カウンタ１２６にラッチされる。このずれ量は、例えば、前エッジ検出信号Ｌ_edgeに基づた同期信号の検出タイミング（第一の同期信号検出回路１２２からの検出信号の出力タイミング）が、後エッジ検出信号Ｔ_edgeに基づいた同期信号の検出タイミング（第二の同期信号検出回路１２３からの検出信号の出力タイミング）より早い場合に、正値、それらの検出タイミングの関係が逆となる場合に、負値となる。
【００４３】
このずれ量検出カウンタ１２６にラッチされたずれ量（カウント値）は、第一の位相調整回路１２４及び第二の位相調整回路１２５それぞれのずれ量設定ポートに供給される。第一の位相調整回路１２４には、上記前エッジ検出回路１０４からの前エッジ検出信号Ｌ_edgeが選択回路１０６を介して供給されると共に、第一のＡ／Ｄ変換回路１０１からの前サンプリング値Ｙt_L及び立上がり同期クロックCLK_Lが供給される。また、第二の位相調整回路１２５には、上記後エッジ検出回路１０５からの後エッジ検出信号Ｔ_edgeが選択回路１０７を介して供給されると共に、再同期回路１２１からの再同期サンプリング値Ｙt_T_syncL及び立上がり同期クロックCLK_Lが供給される。
【００４４】
上記ずれ量検出カウンタ１２６から供給されるずれ量が正値となる場合、第一の位相調整回路１２４は、入力される上記前エッジ検出信号Ｌ_edge及び前サンプリング値Ｙt_Lをそのまま位相調整のなされた前エッジ検出信号ｄ_L_edge及び前サンプリング値ｄ_Yt_Lとして立上がり同期信号CLK_Lに同期して出力する。また、この場合、第二の位相調整回路１２５は、入力される上記後エッジ検出信号Ｔ_edge及び再同期サンプリング値Ｙt_T_syncLを、上記ずれ量に対応したクロック数分だけシフトし（遅延させて）、位相調整のなされた後エッジ検出信号ｄ_T_edge及び後サンプリング値ｄ_Yt_Tとして立上がり同期クロックCLK_Lに同期して出力する。
【００４５】
一方、上記ずれ量検出カウンタ１２６から供給されるずれ量が負値となる場合、第一の位相調整回路１２４は、入力される上記前エッジ検出信号Ｌ_edge及び前サンプリング値Ｙt_Lを、上記ずれ量に対応したクロック数分だけシフトし（遅延させて）、位相調整のなされた前エッジ検出信号ｄ_L_edge及び前サンプリング値ｄ_Yt_Lとして立上がり同期クロックCLK_Lに同期して出力する。また、この場合、第二の位相調整回路１２５は、入力される上記後エッジ検出信号Ｔ_edge及び再同期サンプル値Ｙt_T_syncLをそのまま位相調整のなされた後エッジ検出信号ｄ_T_edge及び後サンプリング値ｄ_Yt_Tとして立上がり同期クロックCLK_Lに同期して出力する。
【００４６】
なお、第一の位相調整回路１２４及び第二の位相調整回路ｌ２５それぞれのずれ量設定ポートに対して、上記ずれ量検出カウンタに代えて制御装置（ＭＰＵ）から任意のずれ量を与えることもできる。
【００４７】
上記再同期回路１２１、第一の同期信号検出回路１２２、第二の同期検出回路１２３、ずれ量検出カウンタ１２６、第一の位相調整回路１２４及び第二の位相調整回路１２５により、前エッジ検出信号ｄ_L_edge及び前サンプリング値ｄ_Yt_Lと、後エッジ検出信号ｄ_T_edge及び後サンプリング値ｄ_Yt_T（再同期サンプリング値Ｙt_T_sycnLに対応）とを、立上がり同期クロックCLK_Lの時間軸上にて位相調整がなされた状態にすることができる。
【００４８】
切換信号生成回路１２７は、第一の位相調整回路１２４にて位相調整のなされた前エッジ検出信号ｄ_L_edgeにてセットされ、第二の位相調整回路１２５にて位相調整のなされた後エッジ検出信号ｄ_T_edgeにてリセットされる信号を生成し、その信号を１クロック分遅らせて切換信号Sel_Yt_Tとして出力する。そして、その切換信号Sel_Yt_Tは、選択回路１２８に供給される。
【００４９】
選択回路１２８は、第一の位相調整回路１２４からの前サンプリング値ｄ_Yt_Lと第二の位相調整回路１２５からの後サンプリング値ｄ_Yt_Tを入力し、上記切換信号Sel_Yt_Tがセット状態となるときに後サンプリング値ｄ_Yt_Tを選択する。また、上記切換信号Sel_Yt_Tがリセット状態となるときに、選択回路１２８は前サンプリング値ｄ_Yt_Lを選択する。そして、この選択回路１２８にて選択された上記前サンプリング値ｄ_Yt_Lまたは後サンプリング値ｄ_Yt_Tが再生信号のサンプリング値ＹtとしてＭＬ検出器２２（図２参照）に供給される。
【００５０】
上記のようなデータ再生装置では、例えば、図４に示すようなタイミングチャートに従って処理がなされる。
【００５１】
位相調整された前サンプリング値ｄ_Yt_L（第一の位相調整回路１２４の出力）が図４（ａ）に示すように変化する場合、それに対応した前エッジ検出信号ｄ_L_edgeは、図４（ｂ）に示すように、その前エッジサンプリング値ｄ_Yt_Lの立上がり部分で出力される（第一の位相調整回路１２４の出力）。また、上記前サンプリング値ｄ_Yt_Lの変化と共に、位相調整された後エッジサンプリング値ｄ_Yt_T（第二の位相調整回路１２５の出力）が図４（ｃ）に示すように変化する場合、それに対応した後エッジ検出信号ｄ_T_edgeは、図４（ｄ）に示すように、その後エッジサンプリング値ｄ_Yt_Tの立下り部分で出力される（第二の位相調整回路１２５の出力）。
【００５２】
上記切換信号生成回路１２７は、図４（ｅ）に示すように、上記前エッジ検出信号ｄ_L_edgeでセットされ、上記後エッジ検出信号ｄ_T_edgeでリセットされる信号（セット／リセット）を生成する。そして、切換信号生成回路１２７は、図４（ｆ）に示すように、その信号（セット／リセット）を１クロック分遅らせた切換信号Sel_Yt_Tを出力する。このように上記信号（セット／リセット）を１クロック分遅らせて切換信号Sel_Yt_Tを生成するため、この切換信号Sel_Yt_Tがリセット状態となる期間（Ｌ選択期間）に、上記前サンプリング値ｄ_Yt_Lの立上がり部分が含まれ、切換信号Sel_Yt_Tがセット状態となる期間（Ｔ選択期間）に、上記後サンプリング値ｄ_Yt_Tの立下り部分が含まれることになる。
【００５３】
そして、上記切換信号Sel_Yt_Tに基づいて選択回路１２８が上記前サンプリング値ｄ_Yt_Lまたは後サンプリング値ｄ_Yt_Tの選択切換を行うことにより、当該選択回路１２８から、図４（ｇ）に示すような合成結果（合成サンプリング値）Ｙt_OUTが出力される。この合成サンプリング値Ｙt_OUTは、エッジ合成回路１００からＭＬ検出器２２に供給され、ＭＬ検出器２２は、この合成サンプリング値Ｙt_OUTから、ＰＲ（1,1）に対応した最尤（ＭＬ）復号アルゴリズムに従って、例えば、図４（ｈ）に示すような、データを復元する。
【００５４】
上記のようなデータ再生装置では、再生信号の立上がり部分においてその立上がりエッジに同期したクロックCLK_Lに同期して得られたサンプリング値Ｙt_Lを選択し、再生信号の立下り部分においてその立下りエッジに同期したクロックCLK_Tに同期して得られたサンプリング値Ｙt_Tを選択することにより再生信号の最終的なサンプリング値を合成している。
【００５５】
従って、ＭＳＲ媒体からの再生信号のようにその再生信号の立下り部分が多少歪んでも、その立下り部分でのサンプリング値の遷移状態がＰＲ（1,1）波形から本来サンプリングされるべきサンプリング値の遷移状態により近いものとなる。その結果、そのようなサンプリング値の遷移状態からＰＲ（1,1）波形を前提とした最尤データ検出を行うＭＬ検出器２２によって記録データが忠実に復元されることになる。
【００５６】
このように、再生信号が多少歪んでいても記録データのより忠実な復元を行うことができることから、記録媒体１０（光磁気ディスク）に対する信号の記録条件（例えば、書込み光パワーＰwなど）及びその再生条件のマージンがより広くなる。
【００５７】
なお、上記の例において、立上がり同期クロックCLK_Lに対する立下り同期クロックCLK_Tの位相は予め予期される範囲内ものとなる。この立下り同期クロックCLK_Tの位相がそのような範囲を越える場合、暴走検出回路１３０は、立下りクロックCLK_Tが暴走したものと判定し、検出信号を出力する。このように暴走検出回路１３０から検出信号が出力されると、切換回路１０３は、立下り同期クロックCLK_Tに代えて立上がり同期クロックCLK_Lを第二のＡ／Ｄ変換回路１０２及び再同期回路１２１に供給する。この場合、第二のＡ／Ｄ変換回路１０２は、第一のＡ／Ｄ変換回路１０１と同じタイミングで同じサンプリング値を出力することになる。その結果、このデータ再生装置は、再生信号から立上がり同期クロックに同期してサンプリング値を得る従来のデータ装置と同様のデータ再生機能となる。
【００５８】
上記暴走検出回路１３０は、後サンプリング値ｄ_Yt_Lの遷移状態から最尤復号アルゴリズムに従って復元されるビット列（データ）が本来の記録規則（例えば、１／７規則）を満足しない場合に、立下り同期クロックCLK_Tが暴走した  と判定することができる。
【００５９】
なお、上記の例では、再生信号の立下り部分に歪みが発生し易いＭＳＲ媒体からのデータ再生を想定しているため、暴走検出回路１３０は、立下り同期クロックCLK_Tの暴走を検出するようにしている。しかし、他の媒体や、記録条件等の関係から再生信号の立上がり部分に歪みが発生し易い場合では、暴走検出回路１３０は、立上がり同期クロックCLK_Tの暴走を検出することもできる。更に、双方の同期クロックの暴走を検出するようにし、一方の同期クロックの暴走が検出されたときに、その同期クロックに代えて他方の同期クロックを使用するようにするこもできる。
【００６０】
また、上記例では、前エッジ検出回路１０４及び後エッジ検出回路１０５がサンプリング値の遷移状態から再生信号のエッジを検出している。再生信号のエッジ検出の手法は、これに限られず、例えば、図５に示すように、再生信号▲１▼をスライスレベルＬcを用いて二値化し▲２▼、その二値化信号から前エッジ検出信号（RDTLE）▲３▼と後エッジ検出信号（RDTTE）▲４▼を生成するようにしてもよい。この場合、切換回路１０６に上記前エッジ検出信号（RDTLE）を供給すると共に、後エッジ検出信号（RDTTE）に対して上記再同期処理（再同期回路１２１での処理）を施して得られる信号（RDTTE）を切換回路１０７に供給する。このような構成により、切換回路１０６及び１０７の切換動作により、上記前エッジ検出信号Ｌ_edge及び後エッジ検出信号Ｔ_edgeに代えて、上記前エッジ検出信号（RDTLE）及び上記後エッジ検出信号（RDTTE）をエッジ合成回路１２０に供給することができる。
【００６１】
ところで、最尤データ検出器を２つ備え、一方の最尤データ検出器が、立上がり同期クロックCLK_Lに同期して再生信号からサンプリングされたサンプリング値に基づいてデータの復元を行い、他方の最尤データ検出器が、立下り同期クロックCLK_Tに同期して再生信号からサンプリングされたサンプリング値に基づいてデータの復元を行うデータ再生装置が提案されている。このデータ再生装置は、所謂、Dual-PRML方式のデータ再生装置と称し、上記２系統で復元されたデータを合成することにより再生データを生成する。
【００６２】
データの記録系と再生系を備えたデータ記録・再生装置において、その再生系に上記のようなDual-PRML方式のデータ再生ユニットと上記サンプリング回路１００とを適用することができる。そのようなデータ記録・再生装置における再生系の基本的な構成は、例えば、図６に示すようになる。
【００６３】
図６において、このデータ再生系は、立上がり同期クロックCLK_Lに同期して再生信号のサンプリングを行う第一のＡ／Ｄ変換回路１０１、立下り同期クロックCLK_Tに同期して再生信号のサンプリングを行う第二のＡ／Ｄ変換回路１０２、図３に示すような構成となるサンプリング回路１００、第一のＭＬ検出器２２ａ及び第二のＭＬ検出器２２ｂを有する。なお、前述した例では、図３に示すようにサンプリング回路１００に含まれていた第一のＡ／Ｄ変換回路１０１及び第二のＡ／Ｄ変換回路１０２が、この例では、サンプリング回路１００の外に設置されたものとなっている。
【００６４】
第一のＡ／Ｄ変換回路１０１にて得られた前サンプリング値はサンプリング回路１００に供給されると共にスイッチＳ１に供給される。また、第二のＡ／Ｄ変換回路１０２にて得られた後サンプリング値はサンプリング回路１００に供給されると共にスイッチＳ２に供給される。サンプリング回路１００からの前述した合成サンプリング値はスイッチＳ１に供給される。スイッチＳ１は、第一のML検出器２２ａに供給すべきサンプリング値を、第一のＡ／Ｄ変換回路１０１からの前サンプリング値及びサンプリング回路１００からの合成サンプリング値のいずれかに切換える。スイッチＳ２は、第二のＡ／Ｄ変換回路１０２からの後サンプリング値を第二のML検出器２２ｂに供給するか否かを切換える。
【００６５】
スイッチＳ１、Ｓ２の切換え動作により上記前サンプリング値が第一のＭＬ検出器２２ａに供給され、上記後サンプリング値が第二のML検出器２２ｂに供給される状態（第一の状態）となるときは、このデータ再生装置は、Dual-PRML方式のデータ再生装置として機能する。一方、スイッチＳ１、Ｓ２の切換え動作によりサンプリング回路１００からの合成サンプリング値が第一のＭＬ検出器２２ａに供給され、第二のＭＬ検出器２２ｂにサンプリング値が供給されない状態（第二の状態）となるときは、このデータ再生装置は、前述した構成（図２参照）のデータ再生装置として機能する。
【００６６】
なお、この記録・再生装置におけるデータ記録系の構成は、光磁気ディスク１０に記録信号を書込むための公知のデータ記録装置の構成と同様となる。
【００６７】
このようなデータ記録・再生装置において、記録条件設定のための動作モード（ライト・ベリファイ（Write Verify）モード、記録光パワー（Write Power）学習モード、テスト記録（Write Test）モードなど）では、スイッチＳ１、Ｓ２の切換え動作により、データ再生系は、上記第一の状態となる。
【００６８】
この状態で、記録系は、設定された記録条件に従って光磁気ディスク１０に所定のテスト用記録信号の書込みを行う。その後、再生系では、第一のＡ／Ｄ変換回路１０１からの前サンプリング値がスイッチＳ１を介して第一のＭＬ検出器２２ａに供給され、第二のＡ／D変換回路１０２からの後サンプリング値がスイッチＳ２を介して第二のＭＬ検出器２２ｂに供給される。第一のＭＬ検出器２２ａは供給される前サンプリング値に基づいてデータの復元を行い、第二のＭＬ検出器２２ｂは供給されるサンプリング値に基づいてデータの復元を行う。そして、制御装置（図示略）は、第一のＭＬ検出器２２ａ及び第一のＭＬ検出器２２ｂで復元される各データが上記所定のテスト用記録信号に対応したものであるか否かが判定する。この結果、復元された各データが上記所定のテスト用記録信号に対応したものでなければ、記録系では、その記録条件を変更して再度所定のテスト用記録信号の書込み処理がなされる（Write Retry）。
【００６９】
上記のような処理を繰り返して、上記復元された各データが上記所定のテスト用記録信号に対応したものとなると、そのときの記録条件が最終の記録条件として決定されるそして、記録系は、その決定された記録条件に従って本来記録すべきデータを光磁気ディスク１０に書込む。
【００７０】
次に、上記のようにして本来記録すべきデータの書込みがなされた光磁気ディスク１０からデータの再生を行う場合、上記スイッチＳ１、Ｓ２の切換え動作により再生系は、上記第二の状態となる。
【００７１】
この状態において、前述した例と同様の処理（図３、図４参照）により、サンプル回路１００にて得られた合成サンプリング値がスイッチＳ１を介して第一のＭＬ検出器２２ａに供給される。そして、第一のＭＬ検出器２２ａは、前述した例と同様に、供給される合成サンプリング値の遷移状態から、例えば、ＰＲ（1,1）変調前のデータとして最も確からしいデータの復元を行う。
【００７２】
上記のようなデータ記録・再生装置では、記録条件を設定する動作モードでは、よりマージンの厳しい状態でテスト用記録信号の記録、再生がなされ、その再生結果に基づいて記録条件の判定がなされる。そして、その決定された記録条件に従って信号の書込みのなされた光磁気ディスク１０からデータの再生を行う際には、正確なデータ再生がなされるためのマージンが広くなる方式（前述した例参照）にてデータ再生がなされるので、より誤りの少ないデータ再生がなされるようになる。
【００７３】
上記各例において、第一のＡ／Ｄ変換回路１０１は、第一のサンプリング手段に対応し、第二のＡ／Ｄ変換回路１０２は、第二のサンプリング手段に対応し、サンプリング回路１００は、合成手段に対応する。
【００７４】
図３に示す再同期回路１２１は、再同期手段に対応し、図３に示す第一の同期信号検出回路１２２、第二の同期信号検出回路１２３、ずれ量検出カウンタ１２６、第一の位相調整回路１２４及び第二の位相調整回路１２５は、位相調整手段に対応する。
【００７５】
図３に示す前エッジ検出回路１０４及び後エッジ検出回路１０５は、エッジ検出手段に対応し、切換信号生成回路１２７は、切換信号生成手段に対応し、選択回路（MUX）１２８は、出力選択手段に対応する。
【００７６】
更に、図６に示す第一のＭＬ検出器２２ａは、第一の最尤検出手段に対応し、第二のML検出器２２ｂは、第二の最尤検出手段に対応し、スイッチＳ１、Ｓ２は、サンプリング値供給制御手段に対応する。
【００７７】
なお、本願発明を以下の通り付記として記す。
【００７８】
（付記１）記録媒体からの再生信号を所定周期でサンプリングして得られるサンプリング値の遷移状態から所定のパーシャルレスポンス波形に対応する最尤復号手法に従って記録データの復元を行うデータ再生装置において、
上記再生信号の立上がりエッジに同期した立上がり同期クロックに同期して当該再生信号をサンプリングし、前サンプリング値を出力する第一のサンプリング手段と、
上記再生信号の立下りエッジに同期した立下り同期クロックに同期して当該再生信号をサンプリングし、後サンプリング値を出力する第二のサンプリング手段と、
再生信号の立上がり部分で上記第一のサンプリング手段にて得られる前サンプリング値と、再生信号の立下り部分で上記第二のサンプリング手段にて得られる後サンプリング値とを合成して合成サンプリング値を出力する合成手段とを有し、
該合成手段から出力される合成サンプリング値を上記最尤復号手法に従った記録データの復元に供するようにしたデータ再生装置。
【００７９】
（付記２）付記１記載のデータ再生装置において、
上記立上がり同期クロック及び立下り同期クロックのうちの予め定めた一方の同期クロックと異なる同期クロックにてサンプリングされた上記前サンプリング値または後サンプリング値の上記合成手段での取得タイミングをその一方の同期クロックに再同期させる再同期手段を有し、
上記合成手段において上記前サンプリング値及び後サンプリング値の双方を上記予め定めた一方の同期クロックに同期させて処理するようにしたデータ再生装置。
【００８０】
（付記３）付記２記載のデータ再生装置において、
上記合成手段は、一方が上記再同期手段にて上記一方の同期クロックに再同期されて取得される前サンプリング値と後サンプリング値の位相ずれ量に基づいて上記前サンプリング値と後サンプリング値の位相調整を行う位相調整手段とを有し、
上記位相調整手段にて位相調整のなされた上記前サンプリング値と後サンプリング値を合成するようにしたデータ再生装置。
【００８１】
（付記４）付記３記載のデータ再生装置において、
上記前サンプリング値と後サンプリング値の位相ずれ量が所定の制御装置から上記位相調整手段に提供されるようにしたデータ再生装置。
【００８２】
（付記５）付記３記載のデータ再生装置において、
上記合成手段は、上記前サンプリング値と後サンプリング値の位相ずれ量を検出するずれ量検出手段を有し、
該ずれ量検出手段にて検出された位相ずれ量に基づいて上記位相調整手段が上記前サンプリング値と後サンプリング値の位相調整を行うようにしたデータ再生装置。
【００８３】
（付記６）付記５記載のデータ再生装置において、
上記ずれ量検出手段は、再生信号の立上がりエッジの検出パターンと、記録信号に含まれる予め定められた基準信号の立上がりパターンとが一致するか否かを判定し、それらが一致するときに検出信号を出力する第一の基準信号検出手段と、
再生信号の立下りエッジの検出パターンと、上記基準信号の立下りパターンとが一致するか否かを判定し、それらが一致するときに検出信号を出力する第二の基準信号検出手段と、
上記第一の基準信号検出手段及び第二の基準信号検出手段からの各検出信号に出力タイミングの差を計測するタイミング差計測手段とを有し、
該タイミング差計測手段にて計測された上記各検出信号の出力タイミング差に基づいて上記前サンプリング値と後サンプリング値の位相ずれ量を表すようにしたデータ再生装置。
【００８４】
（付記７）付記１乃至６いずれか記載のデータ再生装置において、
再生信号の立上がりエッジ及び立下りエッジを検出するエッジ検出手段を有し、
上記合成手段は、上記エッジ検出手段にて検出される再生信号の立上がりエッジ及び立下りエッジに基づいて再生信号の立上がり部分と立下り部分とを区別する状態を有する切換信号を生成する切換信号生成手段と、
該切換信号生成手段からの切換信号が再生信号の立上がり部分に対応した状態となるときに、上記第一のサンプリング手段にて得られる前サンプリング値の選択出力を行い、上記切換信号生成手段からの切換信号が再生信号の立下り部分に対応した状態となるときに、上記第二のサンプリング手段にて得られる後サンプリング値の選択出力を行う出力選択手段とを有し、
該出力選択手段にて選択出力のなされる前サンプリング値及び後サンプリング値を合成サンプリング値とするようにしたデータ再生装置。
【００８５】
（付記８）付記７記載のデータ再生装置において、
上記切換信号生成手段は、上記エッジ検出手段にて再生信号の立上がりエッジが検出されたときにセット状態となり、上記エッジ検出手段にて再生信号の立ち立下りエッジが検出されたときにリセット状態となる信号を所定遅延時間だけ遅延させた信号を切換信号として生成するようにしたデータ再生装置。
【００８６】
（付記９）付記７または８記載のデータ再生装置において、
上記エッジ検出手段は、上記第一のサンプリング手段からの前サンプリング値の遷移状態に基づいて立上がりエッジを検出する前エッジ検出手段と、
上記第二のサンプリングからの後サンプリング値の遷移状態に基いて立下りエッジを検出する後エッジ検出手段とを有するデータ再生装置。
【００８７】
（付記１０）付記７乃至９いずれか記載のデータ再生装置において、
上記エッジ検出手段を複数備え、
その複数のエッジ検出手段のいずれか１つを選択する選択手段を有し、
該選択手段にて選択されたエッジ検出手段にて検出された再生信号の立上がりエッジ及び立下りエッジを上記合成手段に提供するようにしたデータ再生装置。
【００８８】
（付記１１）付記１乃至１０いずれか記載のデータ再生装置において、
上記立上がり同期クロックに同期した処理及び上記立下り同期クロックに同期した処理のいずれかの異常を検出するクロック異常検出手段と、
該クロック異常検出手段が異常を検出した処理の同期クロックを他方の同期クロックに切換えるクロック切換手段とを有するデータ再生装置。
【００８９】
（付記１２）記録系と共にデータ記録・再生装置に設けられた付記１乃至１１いずれか記載のデータ再生装置において、
第一の最尤復号手段と、
第二の最尤復号手段と、
記録系での記録条件を設定するための動作モードにおいて、第一のサンプリング手段からの前サンプリング値を上記第一の最尤復号手段に供給すると共に第二のサンプリング値からの後サンプリング値を上記第二の最尤復号手段に供給し、記録データを再生するための動作モードにおいて、第一のサンプリング手段からの前サンプリング値及び第二のサンプリング手段からの後サンプリング値を上記合成手段に供給すると共に、合成手段からの合成サンプリング値を第一の最尤復号手段に供給するサンプリング値供給制御手段を有し、
上記記録条件を設定するための動作モードにおいて、上記第一の最尤復号手段及び第二の最尤復号手段にて得られたデータに基づいて記録条件を判定する一方、記録データを再生するための動作モードにおいて、上記合成手段からの合成サンプリング値の遷移状態から上記第一の最尤復号手段が記録データの復元を行うようにしたデータ再生装置。
【００９０】
【発明の効果】
以上、説明したように、請求項１乃至４記載の本願発明によれば、再生信号の立上がり部分とその立下り部分のそれぞれを独立した立上がり同期クロック及び立下り同期クロックにてサンプリングして得られた前サンプリング値と後サンプリング値とを合成しているので、再生信号の立上がり部分またはその立下り部分に歪みが発生してもその歪みが発生した部分からのサンプリング値の遷移状態を予め定めたパーシャルレスポンス波形から本来サンプリングされるサンプリング値の遷移状態により近いものとすることができる。従って、立ち上がりと立下りの特性が異なる再生信号からでも、精度の良いデータ再生を行うことのできるようになる。
【図面の簡単な説明】
【図１】従来のデータ再生装置におけるＰＲ（1,1）波形に対応した再生信号波形の各例、及び再生信号のサンプリング値の遷移状態の一例を示す図である。
【図２】本発明の実施の形態に係るデータ再生装置の構成例を示すブロック図である。
【図３】図２に示すデータ再生装置におけるサンプリング回路の具体的な構成例を示すブロック図である。
【図４】図３に示すサンプリング回路の動作例を示すタイミングチャートである。
【図５】再生信号の前エッジ及び後エッジの検出手法の一例を示すタイミングチャートである。
【図６】本発明の他の実施の形態に係るデータ記録・再生装置におけるデータ再生系の構成例を示すブロック図である。
【符号の説明】
１０  光磁気ディスク（記録媒体）
１２  光学ヘッド
１４  アンプ
１６  フィルタ／等化器
１８、２０  ＰＬＬ回路
２２  ＭＬ検出器
１００  サンプリング回路
１０１  第一のＡ／Ｄ変換回路
１０２  第二のＡ／Ｄ変換回路
１０３  切換回路
１０４  前エッジ検出回路
１０５  後エッジ検出回路
１０６、１０７  切換回路
１２０  エッジ合成回路
１２１  再同期回路
１２２  第一の同期信号検出回路
１２３  第二の同期信号検出回路
１２４  第一の位相調整回路
１２５  第二の位相調整回路
１２６  ずれ量検出カウンタ
１２７  切換信号生成回路
１２８  選択回路
【図１】
0003917827.tif 000002
【図２】
0003917827.tif 000003
【図３】
0003917827.tif 000004
【図４】
0003917827.tif 000005
【図５】
0003917827.tif 000006
【図６】
0003917827.tif 000007